【手続補正書】
【提出日】平成18年12月5日(2006.12.5)
【手続補正１】
【補正対象書類名】明細書
【補正対象項目名】特許請求の範囲
【補正方法】変更
【補正の内容】
【特許請求の範囲】
【請求項１】  レイアウトウィンドウ上で後付けデータが挿入されるべきフィールドを含む帳票の作成操作を提供する帳票作成装置であって、
後付データを挿入すべきフィールドを生成する元となるフィールド対象と、当該フィールド対象のフィールド属性とを共に管理するフィールド管理手段と、
前記フィールド対象がレイアウトウィンドウにドロップされた場合に、前記フィールド対象に対応するフィールド属性を有するフィールド図形を前記後付けデータを挿入すべきフィールドとして帳票に生成するフィールド生成手段と、
を有することを特徴とする帳票作成装置。
【請求項２】  帳票が擬似表示される前記レイアウトウィンドウと、前記フィールド対象が表示されるフィールドウィンドウとを同時にユーザインタフェース表示させる表示制御手段を更に有し、
前記フィールド作成手段は、該フィールドウィンドウのフィールド対象が前記レイアウトウィンドウにドラッグアンドドロップされることによりフィールド図形を生成することを特徴とする請求項１記載の帳票作成装置。
【請求項３】  前記フィールド対象は、基本となるマスターアイコンと随時生成可能なフィールドアイコンとを含むことを特徴とする請求項１または２記載の帳票作成装置。
【請求項４】  前記レイアウトウィンドウにドロップされたフィールド対象がマスターアイコンであるかフィールドアイコンであるかを判定する判定手段と、
前記判定手段により前記ドロップされたフィールド対象がマスターアイコンであると判定された場合に、前記フィールド図形の生成に関連して、前記フィールドウィンドウ上に新規にフィールドアイコンを生成するフィールドアイコン生成手段と、
を更に有することを特徴とする請求項３記載の帳票作成装置。
【請求項５】  前記フィールドアイコン生成手段は、フィールドアイコンが制限数を満たすまで、フィールドアイコンの生成を許可することを特徴とする請求項４記載の帳票作成装置。
【請求項６】  前記フィールド属性は、挿入されるべきデータの形式として固定／可変／自動を指定するためのフィールド形式と、挿入されるべきデータの種類を指定するためのデータ型とを少なくとも含むことを特徴とする請求項１乃至５のいずれか１項に記載の帳票作成装置。
【請求項７】  前記フィールドのフィールド属性を変更する属性変更手段を更に有することを特徴とする請求項３乃至５のいずれか１項に記載の帳票作成装置。
【請求項８】  前記属性変更手段によりフィールド属性の変更が指示された対象が、マスターアイテムであるか、フィールドアイテムであるか、レイアウトウィンドウ上のフィールド図形であるかを判断する変更対象判断手段を更に有し、
前記変更対象判断手段によりマスターアイテムのフィールド属性の変更が指示されたと判断された場合に、該変更されたフィールド属性を有するフィールドアイコンを、前記フィールドウィンドウ上に新規に生成することを特徴とする請求項７記載の帳票作成装置。
【請求項９】  前記変更対象判断手段によりフィールドアイテムのフィールド属性の変更が指示されたと判断された場合に、当該フィールドアイテムに対応する前記レイアウトウィンドウのフィールド図形のフィールド属性を一括して変更することを特徴とする請求項８に記載の帳票作成装置。
【請求項１０】  前記変更対象判断手段によりフィールド図形のフィールド属性の変更が指示されたと判断された場合に、該変更されたフィールド属性を有するフィールドアイコンを前記フィールドウィンドウ上に新規に生成し、当該フィールド図形に対応させておくことを特徴とする請求項８または９のいずれか１項に記載の帳票作成装置。
【請求項１１】  レイアウトウィンドウ上で後付けデータが挿入されるべきフィールドを含む帳票の作成操作を提供する帳票作成装置における帳票作成方法であって、
後付データを挿入すべきフィールドを生成する元となるフィールド対象と、当該フィールド対象のフィールド属性とを共にメモリに管理する管理工程と、
操作部によって前記フィールド対象がレイアウトウィンドウにドロップされた場合に、前記フィールド対象に対応するフィールド属性を有するフィールド図形を前記後付けデータを挿入すべきフィールドとして帳票に生成するフィールド生成工程と、
を含むことを特徴とする帳票作成方法。
【請求項１２】  帳票が擬似表示される前記レイアウトウィンドウと、前記フィールド対象が表示されるフィールドウィンドウとを同時にユーザインタフェース表示させる表示制御工程を更に含み、
前記フィールド作成工程は、該フィールドウィンドウのフィールド対象が前記レイアウトウィンドウにドラッグアンドドロップされることによりフィールド図形を生成することを特徴とする請求項１１記載の帳票作成方法。
【請求項１３】  前記フィールド対象は、基本となるマスターアイコンと随時生成可能なフィールドアイコンとを含むことを特徴とする請求項１１または１２記載の帳票作成方法。
【請求項１４】  前記レイアウトウィンドウにドロップされたフィールド対象がマスターアイコンであるかフィールドアイコンであるかを判定する判定工程と、
前記判定工程で前記ドロップされたフィールド対象がマスターアイコンであると判定された場合に、前記フィールド図形の生成に関連して、前記フィールドウィンドウ上に新規にフィールドアイコンを生成するフィールドアイコン生成工程と、
を更に含むことを特徴とする請求項１３記載の帳票作成方法。
【請求項１５】  前記フィールドアイコン生成工程は、フィールドアイコンが制限数を満たすまで、フィールドアイコンの生成を許可することを特徴とする請求項１４記載の帳票作成方法。
【請求項１６】  前記フィールド属性は、挿入されるべきデータの形式として固定／可変／自動を指定するためのフィールド形式と、挿入されるべきデータの種類を指定するためのデータ型とを少なくとも含むことを特徴とする請求項１１乃至１５のいずれか１項に記載の帳票作成方法。
【請求項１７】  前記フィールドのフィールド属性を変更する属性変更工程を更に含むことを特徴とする請求項１３乃至１５のいずれか１項に記載の帳票作成方法。
【請求項１８】  前記属性変更工程によりフィールド属性の変更が指示された対象が、マスターアイテムであるか、フィールドアイテムであるか、レイアウトウィンドウ上のフィールド図形であるかを判断する変更対象判断工程を更に含み、
前記変更対象判断工程でマスターアイテムのフィールド属性の変更が指示されたと判断された場合に、該変更されたフィールド属性を有するフィールドアイコンを、前記フィールドウィンドウ上に新規に生成することを特徴とする請求項１７記載の帳票作成方法。
【請求項１９】  前記変更対象判断工程によりフィールドアイテムのフィールド属性の変更が指示されたと判断された場合に、当該フィールドアイテムに対応する前記レイアウトウィンドウのフィールド図形のフィールド属性を一括して変更することを特徴とする請求項１８に記載の帳票作成方法。
【請求項２０】  前記変更対象判断工程によりフィールド図形のフィールド属性の変更が指示されたと判断された場合に、該変更されたフィールド属性を有するフィールドアイコンを前記フィールドウィンドウ上に新規に生成し、当該フィールド図形に対応させておくことを特徴とする請求項１８または１９に記載の帳票作成方法。
【請求項２１】  レイアウトウィンドウ上で後付けデータが挿入されるべきフィールドを含む帳票の作成操作を提供する帳票作成装置によって実行される帳票作成プログラムを格納した記憶媒体であって、
後付データを挿入すべきフィールドを生成する元となるフィールド対象を対応するフィールド属性と共に管理する管理手段と、
前記フィールド対象がレイアウトウィンドウにドロップされた場合に、前記フィールド対象に対応するフィールド属性を有するフィールド図形を前記フィールドとして帳票に生成するフィールド生成手段としてコンピュータを機能させるコンピュータ読み取り可能な帳票作成プログラムを格納した記憶媒体。
【請求項２２】  帳票が擬似表示される前記レイアウトウィンドウと、前記フィールド対象が表示されるフィールドウィンドウとを同時にユーザインタフェース表示させる表示制御手段を更に含み、
前記フィールド作成手段は、該フィールドウィンドウのフィールド対象が前記レイアウトウィンドウにドラッグアンドドロップされることによりフィールド図形を生成することを特徴とする請求項２１記載の記憶媒体。
【請求項２３】  前記フィールド対象は、基本となるマスターアイコンと随時生成可能なフィールドアイコンとを含むことを特徴とする請求項２１または２２記載の記憶媒体。
【請求項２４】  前記レイアウトウィンドウにドロップされたフィールド対象がマスターアイコンであるかフィールドアイコンであるかを判定する判定手段と、
前記判定手段で前記ドロップされたフィールド対象がマスターアイコンであると判定された場合に、前記フィールド図形の生成に関連して、前記フィールドウィンドウ上に新規にフィールドアイコンを生成するフィールドアイコン生成手段と、
を更に含むことを特徴とする請求項２３記載の記憶媒体。
【請求項２５】  前記フィールドアイコン生成手段は、フィールドアイコンが制限数を満たすまで、フィールドアイコンの生成を許可することを特徴とする請求項２４記載の記憶媒体。
【請求項２６】  前記フィールド属性は、挿入されるべきデータの形式として固定／可変／自動を指定するためのフィールド形式と、挿入されるべきデータの種類と桁数を指定するためのデータ型とを少なくとも含むことを特徴とする請求項２１乃至２５のいずれか１項に記載の記憶媒体。
【請求項２７】  前記フィールドのフィールド属性を変更する属性変更手段を更に含むことを特徴とする請求項２３乃至２５のいずれか１項に記載の記憶媒体。
【請求項２８】  前記属性変更手段によりフィールド属性の変更が指示された対象が、マスターアイテムであるか、フィールドアイテムであるか、レイアウトウィンドウ上のフィールド図形であるかを判断する変更対象判断手段を更に含み、
前記変更対象判断手段でマスターアイテムのフィールド属性の変更が指示されたと判断された場合に、該変更されたフィールド属性を有するフィールドアイコンを、前記フィールドウィンドウ上に新規に生成することを特徴とする請求項２７記載の記憶媒体。
【請求項２９】  前記変更対象判断手段によりフィールドアイテムのフィールド属性の変更が指示されたと判断された場合に、当該フィールドアイテムに対応する前記レイアウトウィンドウのフィールド図形のフィールド属性を一括して変更することを特徴とする請求項２８に記載の記憶媒体。
【請求項３０】  前記変更対象判断手段によりフィールド図形のフィールド属性の変更が指示されたと判断された場合に、該変更されたフィールド属性を有するフィールドアイコンを前記フィールドウィンドウ上に新規に生成し、当該フィールド図形に対応させておくことを特徴とする請求項２８または２９に記載の記憶媒体。
【手続補正２】
【補正対象書類名】明細書
【補正対象項目名】０００８
【補正方法】変更
【補正の内容】
【０００８】
上記目的を達成するために本発明は次のような構成からなる。すなわち、レイアウトウィンドウ上で後付けデータが挿入されるべきフィールドを含む帳票の作成操作を提供する帳票作成装置であって、後付データを挿入すべきフィールドを生成する元となるフィールド対象と、当該フィールド対象のフィールド属性とを共に管理するフィールド管理手段と、前記フィールド対象がレイアウトウィンドウにドロップされた場合に、前記フィールド対象に対応するフィールド属性を有するフィールド図形を前記後付けデータを挿入すべきフィールドとして帳票に生成するフィールド生成手段とを有する。
【手続補正３】
【補正対象書類名】明細書
【補正対象項目名】００１２
【補正方法】変更
【補正の内容】
【００１２】
また好ましくは、前記フィールドアイコン生成手段は、フィールドアイコンが制限数を満たすまで、フィールドアイコンの生成を許可する。
【手続補正４】
【補正対象書類名】明細書
【補正対象項目名】００１３
【補正方法】変更
【補正の内容】
【００１３】
また好ましくは、前記フィールド属性は、挿入されるべきデータの形式として固定／可変／自動を指定するためのフィールド形式と、挿入されるべきデータの種類を指定するためのデータ型とを少なくとも含む。